【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
担当者の携帯端末と無線通信ネットワークを介して接続される情報処理装置であって、
固定メッセージ文を業務内容毎に記憶する固定メッセージ記憶手段と、
少なくとも勤務時間帯と、業務内容とを含む勤務予定データを担当者毎に記憶する勤務予定データ記憶手段と、
前記勤務予定データ記憶手段に記憶された勤務予定データに基づく勤務予定表を表示画面に表示する表示手段と、
前記表示手段により前記勤務予定表が前記表示画面に表示されている状態で、前記勤務予定表の任意の位置が指定された際に、指定された位置に対応する担当者の勤務予定データを前記勤務予定データ記憶手段から読み出す読出手段と、
前記読出手段により読み出された勤務予定データの業務内容に対応する固定メッセージ文を前記固定メッセージ記憶手段から読み出し、前記読み出された勤務予定データと前記読み出された固定メッセージ文とに基づいて作業指示情報を作成する作成手段と、
前記作成手段により作成された作業指示情報を当該担当者の携帯端末に送信する送信手段と、
を具備する情報処理装置。
【請求項２】
作業内容を示す自由メッセージ文を入力する入力手段を具備し、
前記作成手段は、前記入力手段により入力された自由メッセージ文と、前記読出手段により読み出された担当者の勤務予定データと、前記固定メッセージ記憶手段から読み出された固定メッセージ文とに基づいて作業指示情報を作成する請求項1記載の情報処理装置。
【請求項３】
前記表示手段は、各担当者を配置した担当者項目欄と各時間帯を配置した時間帯項目欄とが交差するマトリックス状の各桝目部分に勤務予定の作業内容を表現したアイコンを配置した構成の勤務予定表を表示し、
前記読出手段は、前記勤務予定表が前記表示画面に表示されている状態で、前記勤務予定表の任意のアイコンが選択された際に、選択されたアイコン位置に基づいて勤務時間帯帯、業務内容、担当者を示す項目データを読み出し、
前記作成手段は、前記読み出された勤務時間帯帯、業務内容、担当者を示す各項目データを含む作業指示情報を作成し、
前記送信手段は、前記読み出された担当者を示す項目データに基づいて当該担当者の携帯端末を特定して作業指示情報を送信する、
請求項1あるいは請求項２記載の情報処理装置。
【請求項４】
前記担当者の携帯端末から勤務予定表の確認要求を受けた際に、前記読出手段は、当該担当者に対応する勤務予定データを前記勤務予定データ記憶手段から読み出し、前記送信手段は、読み出された勤務予定データを要求元の携帯端末に送信する請求項1記載の情報処理装置。
【請求項５】
担当者の携帯端末と無線通信ネットワークを介して接続されるコンピュータを、
固定メッセージ文を業務内容毎に記憶する固定メッセージ記憶手段、
少なくとも勤務時間帯と、業務内容とを含む勤務予定データを担当者毎に記憶する勤務予定データ記憶手段、
前記勤務予定データ記憶手段に記憶された勤務予定データに基づく勤務予定表を表示画面に表示する表示手段、
前記表示手段により前記勤務予定表が前記表示画面に表示されている状態で、前記勤務予定表の任意の位置が指定された際に、指定された位置に対応する担当者の勤務予定データを前記勤務予定データ記憶手段から読み出す読出手段、
前記読出手段により読み出された勤務予定データの業務内容に対応する固定メッセージ文を前記固定メッセージ記憶手段から読み出し、前記読み出された勤務予定データと前記読み出された固定メッセージ文とに基づいて作業指示情報を作成する作成手段、
前記作成手段により作成された作業指示情報を当該担当者の携帯端末に送信する送信手段、  
として機能させるためのプログラム。
【手続補正２】
【補正対象書類名】明細書
【補正対象項目名】発明の名称
【補正方法】変更
【補正の内容】
【発明の名称】情報処理装置およびプログラム
【手続補正３】
【補正対象書類名】明細書
【補正対象項目名】０００１
【補正方法】変更
【補正の内容】
【０００１】
この発明は、担当者の携帯端末に作業指示情報を送信する情報処理装置およびプログラムに関する。
【手続補正４】
【補正対象書類名】明細書
【補正対象項目名】０００６
【補正方法】変更
【補正の内容】
【０００６】
請求項１記載の発明は、担当者の携帯端末と無線通信ネットワークを介して接続される情報処理装置であって、固定メッセージ文を業務内容毎に記憶する固定メッセージ記憶手段と、少なくとも勤務時間帯と、業務内容とを含む勤務予定データを担当者毎に記憶する勤務予定データ記憶手段と、前記勤務予定データ記憶手段に記憶された勤務予定データに基づく勤務予定表を表示画面に表示する表示手段と、前記表示手段により前記勤務予定表が前記表示画面に表示されている状態で、前記勤務予定表の任意の位置が指定された際に、指定された位置に対応する担当者の勤務予定データを前記勤務予定データ記憶手段から読み出す読出手段と、前記読出手段により読み出された勤務予定データの業務内容に対応する固定メッセージ文を前記固定メッセージ記憶手段から読み出し、前記読み出された勤務予定データと前記読み出された固定メッセージ文とに基づいて作業指示情報を作成する作成手段と、前記作成手段により作成された作業指示情報を当該担当者の携帯端末に送信する送信手段と、を具備する。
さらに、コンピュータを、上述した請求項１記載の発明に示した主要手段として機能させるためのプログラムを提供する(請求項５記載の発明)。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項１記載の発明によれば、勤務予定表が表示画面に表示されている状態で、勤務予定表の任意の位置が指定された際に、指定された位置に対応する担当者の勤務予定データを勤務予定データ記憶手段から読み出し、読み出された勤務予定データの業務内容に対応する固定メッセージ文を固定メッセージ記憶手段から読み出し、読み出された勤務予定データと固定メッセージ文とに基づいて作業指示情報を作成し、作成された作業指示情報を当該担当者の携帯端末に送信するようにしたから、表示された勤務予定表を用いて担当者宛の作業指示情報を簡単かつ迅速に作成して送信できると共に、勤務予定表の業務内容と作業指示情報の内容とが相違することはなく、勤務予定表の内容に合った作業指示を行うことができ、確実な指示が可能となる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】